(57)【要約】本発明は、経年変化する画像処理を行うことができる画像処理装置、画像処理方法、撮影装置及びプログラムを提供することを目的とする。画像処理装置１０１は、撮影時を示す第１の日時情報を有する撮影画像が記憶された記憶部から、処理対象の撮影画像を取得する画像取得部１００Ａと、処理対象の撮影画像から第１の日時情報を取得し、画像取得部により記憶部から処理対象の撮影画像が取得された日時を示す第２の日時情報を取得する日時情報取得部１００Ｂと、日時情報取得部で取得された第１の日時情報と第２の日時情報とを比較して、撮影時からの経過日時を算出する経過日時算出部１００Ｃと、経過日時の長さに応じて変化する複数の画像処理のうちから、経過日時の長さに基づいて画像処理を選択し、選択された画像処理を処理対象の撮影画像に行う画像処理部１００Ｄと、を備える。
2020195557.tif 000002
【特許請求の範囲】
【請求項１】
撮影時を示す第１の日時情報を有する撮影画像が記憶された記憶部から、処理対象の撮影画像を取得する画像取得部と、
前記処理対象の撮影画像から前記第１の日時情報を取得し、前記画像取得部により前記記憶部から前記処理対象の撮影画像が取得された日時を示す第２の日時情報を取得する日時情報取得部と、
前記日時情報取得部で取得された前記第１の日時情報と前記第２の日時情報とを比較して、前記撮影時からの経過日時を算出する経過日時算出部と、
前記経過日時の長さに応じて変化する複数の画像処理のうちから、前記経過日時の長さに基づいて画像処理を選択し、前記選択された画像処理を前記処理対象の撮影画像に行う画像処理部と、
を備える画像処理装置。
【請求項２】
前記画像処理部で画像処理が行われた前記処理対象の撮影画像を表示部に表示させる表示制御部を備える請求項１に記載の画像処理装置。
【請求項３】
前記画像処理部で画像処理が行われた前記処理対象の撮影画像を印刷部に印刷させる印刷制御部を備える請求項１又は２に記載の画像処理装置。
【請求項４】
前記画像処理部により画像処理が行われた前記処理対象の撮影画像と、前記画像処理部により画像処理が行われる前の前記処理対象の撮影画像とが前記記憶部に記憶される請求項１から３のいずれか１項に記載の画像処理装置。
【請求項５】
前記画像処理部により画像処理が行われた前記処理対象の撮影画像は、前記記憶部に記憶されない請求項１から３のいずれか１項に記載の画像処理装置。
【請求項６】
前記複数の画像処理と前記経過日時の長さとの時間軸における対応関係の入力を受け付ける関係入力部を備える請求項１から５のいずれか１項に記載の画像処理装置。
【請求項７】
前記画像処理部は、前記処理対象の撮影画像の全体の色を前記経過日時の長さに応じて変化させる請求項１から６のいずれか１項に記載の画像処理装置。
【請求項８】
前記画像処理部は、前記処理対象の撮影画像の一部の被写体の色を前記経過日時の長さに応じて変化させる請求項１から６のいずれか１項に記載の画像処理装置。
【請求項９】
前記画像処理部は、前記処理対象の撮影画像の背景の色を前記経過日時の長さに応じて薄くする請求項８に記載の画像処理装置。
【請求項１０】
前記画像処理部は、前記処理対象の撮影画像の一部の色または一部の色相を前記経過日時の長さに応じて変化させる請求項１から９のいずれか１項に記載の画像処理装置。
【請求項１１】
前記画像処理部は、前記処理対象の撮影画像の一部の領域のぼけ具合を前記経過日時の長さに応じて変化させる請求項１から１０のいずれか１項に記載の画像処理装置。
【請求項１２】
前記画像処理部は、前記撮影画像の人物の前景または背景の前記ぼけ具合を、前記経過日時の長さに応じて変化させる請求項１１に記載の画像処理装置。
【請求項１３】
前記画像処理部は、前記処理対象の撮影画像に追加される装飾画像を前記経過日時に応じて変化させる請求項１から１２のいずれか１項に記載の画像処理装置。
【請求項１４】
請求項１から１３のいずれか１項に記載の画像処理装置を搭載する撮影装置。
【請求項１５】
複数の撮影モードのうちから一つの撮影モードを設定する撮影モード設定部を備え、
前記画像処理部は、前記撮影モード設定部で設定された前記撮影モードに応じて、前記経過日時の長さに応じて変化する前記複数の画像処理を変える請求項１４に記載の撮影装置。
【請求項１６】
撮影時を示す第１の日時情報を有する撮影画像が記憶された記憶部から、処理対象の撮影画像を取得するステップと、
前記処理対象の撮影画像から前記第１の日時情報を取得し、前記記憶部から前記処理対象の撮影画像が取得された日時を示す第２の日時情報を取得するステップと、
前記第１の日時情報と前記第２の日時情報とを比較して、前記撮影時からの経過日時を算出するステップと、
前記経過日時の長さに応じて変化する複数の画像処理のうちから、前記経過日時の長さに基づいて画像処理を選択し、前記選択された画像処理を前記処理対象の撮影画像に行うステップと、
を含む画像処理方法。
【請求項１７】
撮影時を示す第１の日時情報を有する撮影画像が記憶された記憶部から、処理対象の撮影画像を取得するステップと、
前記処理対象の撮影画像から前記第１の日時情報を取得し、前記記憶部から前記処理対象の撮影画像が取得された日時を示す第２の日時情報を取得するステップと、
前記第１の日時情報と前記第２の日時情報とを比較して、前記撮影時からの経過日時を算出するステップと、
前記経過日時の長さに応じて変化する複数の画像処理のうちから、前記経過日時の長さに基づいて画像処理を選択し、前記選択された画像処理を前記処理対象の撮影画像に行うステップと、
を含む画像処理工程をコンピュータに実行させるプログラム。
【発明の詳細な説明】
【技術分野】
【０００１】
本発明は、画像処理装置、画像処理方法、撮影装置及びプログラムに関して、撮影時からの経過日時の長さに応じて画像処理を変化させる画像処理装置、画像処理方法、撮影装置及びプログラムに関する。
【背景技術】
【０００２】
従来より、画像に対して所定の処理を行い、画像を見る人に対して、より興味を抱かせるための技術が提案されてきた。【０００３】
例えば、特許文献１では、複数の画像コンテンツを連続的に出力する際に、各画像コンテンツが有する属性情報に対応するエフェクトを挿入して画像コンテンツを連続的に出力する技術が記載されている。
【先行技術文献】
【特許文献】
【０００４】
【特許文献１】特開２００８−６１０３２号公報
【発明の概要】
【発明が解決しようとする課題】
【０００５】
ここで、人に興味を抱かせる変化の一つとして経年変化がある。例えば、革製品は使用年数に応じて徐々に革の表面が変化し、その変化毎に異なる美観を与える。また例えば、酒の味は貯蔵期間に応じて徐々に変化し、酒を飲む人はその味の変化を楽しむことができる。【０００６】
上述した特許文献１では、コンテンツの記録日時と再生日時とを比較して、その値が閾値以上である場合にはセピアエフェクトが選択されるという技術が記載されているが（特許文献１：段落００５５）、この変化は一度きりの変化であり、経過する時間に応じて徐々に変化する経年変化ではない。【０００７】
本発明はこのような事情に鑑みてなされたもので、その目的は、経年変化する画像処理を行うことができる画像処理装置、画像処理方法、撮影装置及びプログラムを提供することである。
【課題を解決するための手段】
【０００８】
上記目的を達成するための本発明の一の態様である画像処理装置は、撮影時を示す第１の日時情報を有する撮影画像が記憶された記憶部から、処理対象の撮影画像を取得する画像取得部と、処理対象の撮影画像から第１の日時情報を取得し、画像取得部により記憶部から処理対象の撮影画像が取得された日時を示す第２の日時情報を取得する日時情報取得部と、日時情報取得部で取得された第１の日時情報と第２の日時情報とを比較して、撮影時からの経過日時を算出する経過日時算出部と、経過日時の長さに応じて変化する複数の画像処理のうちから、経過日時の長さに基づいて画像処理を選択し、選択された画像処理を処理対象の撮影画像に行う画像処理部と、を備える。【０００９】
本態様によれば、撮影時からの経過日時が算出され、経過日時の長さに応じて変化する複数の画像処理のうちから、算出された経過日時の長さに基づいて画像処理が行われる。これにより、本態様は、経年変化する画像処理を撮影画像に行うことができる。【００１０】
好ましくは、画像処理装置は、画像処理部で画像処理が行われた処理対象の撮影画像を表示部に表示させる表示制御部を備える。【００１１】
好ましくは、画像処理装置は、画像処理部で画像処理が行われた処理対象の撮影画像を印刷部に印刷させる印刷制御部を備える。【００１２】
好ましくは、画像処理部により画像処理が行われた処理対象の撮影画像と、画像処理部により画像処理が行われる前の処理対象の撮影画像とが記憶部に記憶される。【００１３】
好ましくは、画像処理部により画像処理が行われた処理対象の撮影画像は、記憶部に記憶されない。【００１４】
好ましくは、画像処理装置は、複数の画像処理と経過日時の長さとの時間軸における対応関係の入力を受け付ける関係入力部を備える。【００１５】
好ましくは、画像処理部は、処理対象の撮影画像の全体の色を経過日時の長さに応じて変化させる。【００１６】
好ましくは、画像処理部は、処理対象の撮影画像の一部の被写体の色を経過日時の長さに応じて変化させる。【００１７】
好ましくは、画像処理部は、処理対象の撮影画像の背景の色を経過日時の長さに応じて薄くする。【００１８】
好ましくは、画像処理部は、処理対象の撮影画像の一部の色又は一部の色相を経過日時の長さに応じて変化させる。【００１９】
好ましくは、画像処理部は、処理対象の撮影画像の一部の領域のぼけ具合を経過日時の長さに応じて変化させる。【００２０】
好ましくは、画像処理部は、撮影画像の人物の前景または背景のぼけ具合を、経過日時の長さに応じて変化させる。【００２１】
好ましくは、画像処理部は、処理対象の撮影画像に追加される装飾画像を経過日時に応じて変化させる。【００２２】
本発明の他の態様である撮影装置は、上述の画像処理装置を搭載する。【００２３】
好ましくは、撮影装置は、複数の撮影モードのうちから一つの撮影モードを設定する撮影モード設定部を備え、画像処理部は、撮影モード設定部で設定された撮影モードに応じて、経過日時の長さに応じて変化する複数の画像処理を変える。【００２４】
本発明の他の態様である画像処理方法は、撮影時を示す第１の日時情報を有する撮影画像が記憶された記憶部から、処理対象の撮影画像を取得するステップと、処理対象の撮影画像から第１の日時情報を取得し、記憶部から処理対象の撮影画像が取得された日時を示す第２の日時情報を取得するステップと、第１の日時情報と第２の日時情報とを比較して、撮影時からの経過日時を算出するステップと、経過日時の長さに応じて変化する複数の画像処理のうちから、経過日時の長さに基づいて画像処理を選択し、選択された画像処理を処理対象の撮影画像に行うステップと、を含む。【００２５】
本発明の他の態様であるプログラムは、撮影時を示す第１の日時情報を有する撮影画像が記憶された記憶部から、処理対象の撮影画像を取得するステップと、処理対象の撮影画像から第１の日時情報を取得し、記憶部から処理対象の撮影画像が取得された日時を示す第２の日時情報を取得するステップと、第１の日時情報と第２の日時情報とを比較して、撮影時からの経過日時を算出するステップと、経過日時の長さに応じて変化する複数の画像処理のうちから、経過日時の長さに基づいて画像処理を選択し、選択された画像処理を処理対象の撮影画像に行うステップと、を含む画像処理工程をコンピュータに実行させる。
【発明の効果】
【００２６】
本発明によれば、撮影時からの経過日時が算出され、経過日時の長さに応じて変化する複数の画像処理のうちから、算出された経過日時の長さに基づいて画像処理が行われるので、経年変化する画像処理を撮影画像に行うことができる。
【図面の簡単な説明】
【００２７】
【図１】図１は、プリンタ付きデジタルカメラの一例を示す正面斜視図である。
【図２】図２は、プリンタ付きデジタルカメラの背面斜視図である。
【図３】図３は、インスタントフィルムの正面図である。
【図４】図４は、インスタントフィルムの背面図である。
【図５】図５は、プリンタ付きデジタルカメラの電気的構成の主要部を示すブロック図である。
【図６】図６は、画像処理装置の機能構成例を示す図である。
【図７】図７は、画像処理部で行われる経年変化の画像処理に関して説明する概念図である。
【図８】図８は、画像処理方法を示すフローチャートである。
【図９】図９は、撮影画像の全体の色が経年変化する画像処理を説明する図である。
【図１０】図１０は、撮影画像の一部の被写体の色が経年変化する画像処理を説明する図である。
【図１１】図１１は、撮影画像の同一の色又は色相が経年変化する画像処理を説明する図である。
【図１２】図１２は、撮影画像の一部の領域のぼけ具合が経年変化する画像処理を説明する図である。
【図１３】図１３は、撮影画像に追加される装飾画像が経年変化する画像処理を説明する図である。
【図１４】図１４は、撮影環境の音を利用した画像処理の例を示す図である。
【図１５】図１５は、撮影場所の情報を利用した処理の例を示す図である。
【図１６】図１６は、感情設定画面の一例を示す図である。
【図１７】図１７は、感情に応じた画像処理の例を示す図である。
【発明を実施するための形態】
【００２８】
以下、添付図面にしたがって、本発明に係る画像処理装置、画像処理方法、撮影装置及びプログラムの好ましい実施の形態について説明する。
【００２９】
＜プリンタ付きデジタルカメラ＞
本発明の画像処理装置１０１（図６を参照）を搭載するプリンタ付きデジタルカメラ（撮影装置）１０は、プリンタを内蔵したデジタルカメラであり、撮影した画像（撮影画像）をその場でプリントする機能を有する。プリンタ付きデジタルカメラ１０は、インスタントフィルムパックを使用して、インスタントフィルムにプリントする。また、本実施形態のプリンタ付きデジタルカメラ１０は、録音機能を有し、撮影画像に関連付けて音声を記録することができる。
【００３０】
［外観構成］
図１は、プリンタ付きデジタルカメラの一例を示す正面斜視図である。図２は、図１に示すプリンタ付きデジタルカメラの背面斜視図である。
【００３１】
図１及び図２に示すように、プリンタ付きデジタルカメラ１０は、携帯可能なカメラボディ１２を有する。カメラボディ１２は、前後方向の厚みが薄く、横方向の寸法に比して縦方向の寸法が長い、縦長の直方体形状を有する。
【００３２】
カメラボディ１２の正面側には、図１に示すように、撮影レンズ１４、レリーズボタン１６、録音ボタン１８、ストロボ発光窓２０等が備えられる。また、カメラボディ１２の一方側の側面には、電源ボタン２２ａ、メニューボタン２２ｂ、ＯＫボタン２２ｃ、モード切替えボタン２２ｄ、マイク穴２４、スピーカ穴２６等が備えられる。レリーズボタン１６は、撮影画像の記録を指示するボタンである。電源ボタン２２ａは、プリンタ付きデジタルカメラ１０の電源をオン及びオフするボタンである。メニューボタン２２ｂは、メニュー画面を呼び出すボタンである。ＯＫボタン２２Ｃは、ＯＫを指示するボタンである。モード切替えボタン２２ｄは、撮影モードにおいて、オートプリントモードとマニュアルプリントモードとを切り替えるボタンである。なお、メニューボタン２２ｂでメニュー画面を呼び出し、撮影モード変更画面を表示させＯＫボタン２２Ｃで決定することにより、撮影モードの変更を行うことができる。各撮影モードではそれぞれ適した撮影条件が設定されている。撮影モードには、例えばポートレートモードや風景モードがある。この場合メニューボタン２２ｂおよびＯＫボタン２２ｃは、撮影モード設定部を構成する。
【００３３】
カメラボディ１２の背面側には、図２に示すように、タッチパネル型のディスプレイ（表示部）２８、フィルム蓋カバー３０、各種操作ボタン類が備えられる。フィルム蓋カバー３０は、フィルム装填室を開閉するカバーである。操作ボタン類には、ジョイスティック３２ａ、プリントボタン３２ｂ、再生ボタン３２ｃ、キャンセルボタン３２ｄ等が含まれる。プリントボタン３２ｂは、プリントを指示するボタンである。再生ボタン３２ｃは、再生モードへの切り替えを指示するボタンである。キャンセルボタン３２ｄは、操作のキャンセルを指示するボタンである。
【００３４】
カメラボディ１２の上面には、図１及び図２に示すように、フィルム排出口３４が備えられる。プリントされたインスタントフィルムは、このフィルム排出口３４から排出される。
【００３５】
［プリンタ付きデジタルカメラのプリンタ部分の構成］
プリンタ付きデジタルカメラ１０は、プリント部であるプリンタ部分の構成要素として、フィルム装填室（不図示）、フィルム送出機構５２、フィルム搬送機構５４、プリントヘッド５６等を備える（図５を参照）。フィルム装填室には、複数枚のインスタントフィルムがケースに収容された構造のインスタントフィルムパックが装填される。図３はインスタントフィルム４２の正面図であり、図４はインスタントフィルム４２の背面図である。図３及び図４において、矢印Ｆで示す方向がインスタントフィルム４２の使用方向であり、インスタントフィルム４２は矢印Ｆで示す方向に搬送される。したがって、プリンタ付きデジタルカメラ１０に装填した場合は、矢印Ｆで示す方向がインスタントフィルム４２の排出方向となる。
【００３６】
インスタントフィルム４２は、矩形のカード形状を有する自己現像型インスタントフィルムである。インスタントフィルム４２は、裏面側が露光面４２ａ、正面側が観察面４２ｂとして構成される。露光面４２ａは露光により像を記録する面であり、観察面４２ｂは記録された像を観察する面である。
【００３７】
図３に示すように、インスタントフィルム４２の観察面４２ｂには観察領域４２ｈが備えられる。また、図４に示すように、インスタントフィルム４２の露光面４２ａには露光領域４２ｃ、ポッド部４２ｄ、及び、トラップ部４２ｆが備えられる。インスタントフィルム４２は、露光後、ポッド部４２ｄの現像処理液を露光領域４２ｃに展開させることにより現像処理される。ポッド部４２ｄには、現像処理液を内包した現像処理液ポッド４２ｅが内蔵される。ポッド部４２ｄの現像処理液は、インスタントフィルム４２をローラ対の間に通すことでポッド部４２ｄから絞り出され、露光領域４２ｃに展開される。展開処理時に余った現像処理液が、トラップ部４２ｆで捕捉される。トラップ部４２ｆには、吸収材４２ｇが内蔵される。
【００３８】
インスタントプリントパックはカメラボディ１２の内部に設けられた図示せぬフィルム装填室に装填される。プリントの際はフィルム送出機構５２の図示せぬクロー（爪状部材）によりフィルムが１枚ずつ送出され、フィルム搬送機構５４の図示せぬローラにより搬送される。また、搬送過程では図示せぬ展開ローラ対がインスタントフィルム４２のポッド部４２ｄを押しつぶして、現像処理液を展開処理する。プリントヘッド５６はライン型の露光ヘッドで構成され、フィルム搬送機構５４によって搬送されるインスタントフィルム４２の露光面４２ａに１ラインずつプリント光を照射して、シングルパスでインスタントフィルム４２に撮影画像を記録する。観察領域４２ｈの周囲には枠４２ｉが備えられ、撮影画像は枠４２ｉの内側に表示される。
【００３９】
［プリンタ付きデジタルカメラの電気的構成］
図５は、プリンタ付きデジタルカメラ１０の電気的構成の主要部を示すブロック図である。
【００４０】
同図に示すように、プリンタ付きデジタルカメラ１０は、撮影レンズ１４、レンズ駆動部６２、イメージセンサ６４、イメージセンサ駆動部６６、アナログ信号処理部６８、デジタル信号処理部７０、メモリ（記憶部）７２、メモリコントローラ７４、ディスプレイ２８、表示コントローラ７６、通信部７８、アンテナ８０を備える。また、プリンタ付きデジタルカメラ１０は、フィルム送出駆動部８２、フィルム搬送駆動部８４、ヘッド駆動部８６、ストロボ８８、ストロボ発光制御部９０、マイクロフォン９２、スピーカ９４、音声信号処理部９６、時計部９７、操作部９８、カメラ制御部１００を備える。
【００４１】
撮影レンズ１４は、被写体の光学像をイメージセンサ６４の受光面上に結像させる。撮影レンズ１４は、焦点調節機能を有し、図示しない絞り及びシャッタを備える。レンズ駆動部６２は、撮影レンズ１４の焦点調節機能を駆動するモータ及びその駆動回路、絞りを駆動するモータ及びその駆動回路、並びに、シャッタを駆動するモータ及びその駆動回路を含み、カメラ制御部１００からの指令に応じて、焦点調節機構、絞り及びシャッタを動作させる。
【００４２】
イメージセンサ６４は、例えばＣＣＤイメージセンサ（CCD：Charge Coupled Device）、ＣＭＯＳイメージセンサ（CMOS：Complementary Metal Oxide Semiconductor）等の二次元の固体撮像素子で構成される。イメージセンサ６４は、使用するインスタントフィルムのプリント可能領域に対応したアスペクト比の撮像領域を有する。イメージセンサ駆動部６６は、イメージセンサ６４の駆動回路を含み、カメラ制御部１００からの指令に応じて、イメージセンサ６４を動作させる。
【００４３】
アナログ信号処理部６８は、イメージセンサ６４から出力される画素ごとのアナログの画像信号を取り込み、信号処理（例えば、相関二重サンプリング処理、増幅処理等）を施し、デジタル化して出力する。
【００４４】
デジタル信号処理部７０は、アナログ信号処理部６８から出力されるデジタルの画像信号を取り込み、信号処理（例えば、階調変換処理、ホワイトバランス補正処理、ガンマ補正処理、同時化処理、ＹＣ変換処理等）を施して、画像データを生成する。
【００４５】
メモリ７２は、撮影により得られた画像データ（撮影画像）及び音声データを記憶する非一時的記録媒体であり、例えばメモリカード等が用いられる。メモリ７２は、記憶部の一例である。メモリコントローラ７４は、カメラ制御部１００による制御の下、メモリ７２にデータを読み書きする。
【００４６】
ディスプレイ２８は、例えば、液晶ディスプレイ（Liquid Crystal Display；ＬＣＤ）、有機エレクトロルミネッセンスディスプレイ（Organic Electro-Luminescence Display；ＯＥＬＤ）等で構成される。この他、ディスプレイ２８をプラズマディスプレイ、電界放出ディスプレイ（Field Emission Display；ＦＥＤ）、電子ペーパ等で構成してもよい。表示コントローラ７６は、カメラ制御部１００による制御の下、ディスプレイ２８に映像を表示させる。
【００４７】
通信部７８は、カメラ制御部１００による制御の下、アンテナ８０を介して他のプリンタ付きデジタルカメラ１０（他機）と無線で通信する。通信部７８は、例えば、ＮＦＣ規格（NFC:Near Field Communication）、Ｂｌｕｅｔｏｏｔｈ（登録商標）、等の近距離無線通信により近距離で他機と直接通信することができる。また、通信部７８は、Ｗｉ-Ｆｉスポット（Ｗｉ-Ｆｉ：登録商標）等を介してインターネット等の情報通信ネットワークに接続し、他のプリンタ付きデジタルカメラ１０（他機）と、距離を問わずに通信することができる。
【００４８】
フィルム送出駆動部８２は、フィルム送出機構５２の図示せぬクロー（爪状部材）を駆動するモータ、及び、その駆動回路を含み、カメラ制御部１００による制御の下、モータを駆動してクローを動作させる。
【００４９】
フィルム搬送駆動部８４は、フィルム搬送機構５４の図示せぬ搬送ローラ対を駆動するモータ及びその駆動回路、並びに、図示せぬ展開ローラ対を駆動するモータ及びその駆動回路を含み、カメラ制御部１００による制御の下、搬送ローラ対のモータ及び展開ローラ対のモータを駆動して、搬送ローラ対及び展開ローラ対を動作させる。
【００５０】
ヘッド駆動部８６は、プリントヘッド５６の駆動回路を含み、カメラ制御部１００の制御の下、プリントヘッド５６を駆動する。
【００５１】
ストロボ８８は、光源として、例えばキセノン管、ＬＥＤ（Light Emitting Diode）等を備え、その光源を発光させて、被写体にストロボ光を照射する。ストロボ光は、カメラボディ１２の正面に備えられたストロボ発光窓２０（図１参照）から照射される。ストロボ発光制御部９０は、ストロボ８８の駆動回路を含み、カメラ制御部１００からの指令に応じて、ストロボ８８を発光させる。
【００５２】
マイクロフォン９２は、カメラボディ１２に備えられたマイク穴２４（図２参照）を介して外部の音声を集音する。スピーカ９４は、カメラボディ１２に備えられたスピーカ穴２６から外部に音声を出力する。音声信号処理部９６は、マイクロフォン９２から入力される音声信号に信号処理を施し、デジタル化して出力する。また、音声信号処理部９６は、カメラ制御部１００から与えられる音声データに信号処理を施して、スピーカ９４から出力させる。時計部９７は日時の情報を保持し、カメラ制御部１００はこの情報を参照して撮影時刻（日時）を設定する。
【００５３】
操作部９８は、レリーズボタン１６、録音ボタン１８、電源ボタン２２ａ、メニューボタン２２ｂ、ＯＫボタン２２ｃ、ジョイスティック３２ａ、プリントボタン３２ｂ、再生ボタン３２ｃ、キャンセルボタン３２ｄ等の各種操作部材、及び、その信号処理回路を含み、各操作部材の操作に基づく信号をカメラ制御部１００に出力する。
【００５４】
カメラ制御部１００は、プリンタ付きデジタルカメラ１０の全体の動作を統括制御する制御部である。カメラ制御部１００は、ＣＰＵ（CPU：Central Processing Unit）、ＲＯＭ（ROM：Read Only Memory）、ＲＡＭ（RAM：Random Access Memory）、及びＥＥＰＲＯＭ（Electronically Erasable and Programmable Read Only Memory）等を備える。カメラ制御部１００はこれらＣＰＵ等により構成されるコンピュータであり、制御プログラムを実行することにより以下に説明する各種機能を実現する。
【００５５】
＜画像処理装置の機能構成＞
プリンタ付きデジタルカメラ１０は、画像処理装置１０１を搭載し、画像処理装置１０１の主な機能はカメラ制御部１００に設けられる。
【００５６】
図６は、カメラ制御部１００に設けられる画像処理装置１０１の機能構成例を示す図である。画像処理装置１０１は、画像取得部１００Ａ、日時情報取得部１００Ｂ、経過日時算出部１００Ｃ、画像処理部１００Ｄ、表示制御部１００Ｅ及び印刷制御部１００Ｆを備える。
【００５７】
上述したカメラ制御部１００（画像処理装置１０１）の各部の機能は、各種のプロセッサ（processor）及び記録媒体を用いて実現できる。各種のプロセッサには、例えばソフトウェア（プログラム）を実行して各種の機能を実現する汎用的なプロセッサであるＣＰＵが含まれる。また、上述した各種のプロセッサには、画像処理に特化したプロセッサであるＧＰＵ（Graphics Processing Unit）、ＦＰＧＡ（Field Programmable Gate Array）等のプログラマブルロジックデバイス（Programmable Logic Device：ＰＬＤ）も含まれる。プログラマブルロジックデバイスは、製造後に回路構成を変更可能なプロセッサである。さらに、ＡＳＩＣ（Application Specific Integrated Circuit）などの特定の処理を実行させるために専用に設計された回路構成を有するプロセッサである専用電気回路なども上述した各種のプロセッサに含まれる。
【００５８】
各部の機能は１つのプロセッサにより実現されてもよいし、同種または異種の複数のプロセッサ（例えば、複数のＦＰＧＡ、あるいはＣＰＵとＦＰＧＡの組み合わせ、またはＣＰＵとＧＰＵの組み合わせ）で実現されてもよい。また、１つのプロセッサが複数の機能を備えていてもよい。複数の機能を１つのプロセッサで構成する例としては、第１に、コンピュータに代表されるように、１つ以上のＣＰＵとソフトウェアの組合せで１つのプロセッサを構成し、このプロセッサが複数の機能として実現する形態がある。第２に、システムオンチップ（System On Chip：ＳｏＣ）などに代表されるように、システム全体の機能を１つのＩＣ（Integrated Circuit）チップで実現するプロセッサを使用する形態がある。このように、各種の機能は、ハードウェア的な構造として、上述した各種のプロセッサを１つ以上用いて構成される。さらに、これらの各種のプロセッサのハードウェア的な構造は、より具体的には、半導体素子などの回路素子を組み合わせた電気回路（circuitry）である。これらの電気回路は、論理和、論理積、論理否定、排他的論理和、及びこれらを組み合わせた論理演算を用いて上述した機能を実現する電気回路であってもよい。
【００５９】
上述したプロセッサあるいは電気回路がソフトウェア（プログラム）を実行する際は、実行するソフトウェアのコンピュータ（カメラ制御部１００（画像処理装置１０１）を構成する各種のプロセッサや電気回路、及び／またはそれらの組み合わせ）で読み取り可能なコードをＲＯＭ等の非一時的記録媒体に記憶しておき、コンピュータがそのソフトウェアを参照する。非一時的記録媒体に記憶しておくソフトウェアは、撮影画像の撮影や合成を実行するためのプログラム及び実行に際して用いられるデータを含む。コードを記録する非一時的記録媒体は、ＲＯＭではなく各種の光磁気記録装置、半導体メモリ等でもよい。ソフトウェアを用いた処理の際には例えばＲＡＭが一時的記憶領域として用いられる。
【００６０】
画像取得部１００Ａは、メモリ７２に記憶されている撮影画像から処理対象の撮影画像を取得する。メモリ７２には、プリンタ付きデジタルカメラ１０で撮影された複数の撮影画像が記憶されている。撮影画像は、撮影時を示す第１の日時情報を有する。ここで、第１の日時情報とは、撮影画像が撮影された年、月、日及び時間のうち少なくとも一つを有する情報である。メモリ７２に記憶される複数の撮影画像から、処理対象である撮影画像の選択は様々な態様で選択される。例えば、メモリ７２に記憶されている複数の撮影画像がディスプレイ２８に一覧表示され、ユーザは、一覧表示された撮影画像の中から処理対象の撮影画像を選択する。なお、処理対象の撮影画像は、単数又は複数選択されてもよいし、またメモリ７２に記憶されている撮影画像の全てが選択されてもよい。
【００６１】
日時情報取得部１００Ｂは、画像取得部１００Ａで取得された撮影画像の第１の日時情報と第２の日時情報とを取得する。ここで第２の日時情報は、画像取得部１００Ａによりメモリ７２から処理対象の撮影画像が取得された日時を示す情報である。画像取得部１００Ａにより撮影画像が取得されると、画像処理装置１０１は即座に画像処理を行うので、第２の日時情報は、画像処理が行われる日時を示す情報と略同一と考えることができる。
【００６２】
経過日時算出部１００Ｃは、日時情報取得部１００Ｂで取得された第１の日時情報と第２の日時情報とを比較して、撮影時から画像取得部１００Ａが撮影画像を取得するまでの経過日時を算出する。例えば、第１の日時情報として、２０１８年１２月２０日９時０４分であり、第２の日時情報が２０１８年１２月２１日９時０６分である場合には、経過日時算出部１００Ｃは、経過日時を１日と２分と算出する。
【００６３】
画像処理部１００Ｄは、経過日時の長さに応じて変化する画像処理を、処理対象として選択された撮影画像に行う。すなわち、画像処理部１００Ｄは、経年変化する画像処理を撮影画像に行う。具体的には、画像処理部１００Ｄは、経過日時の長さに応じて変化する複数の画像処理のうちから、経過日時の長さに基づいて画像処理を選択し、選択された画像処理を処理対象の撮影画像に行う。
【００６４】
図７は、画像処理部１００Ｄで行われる経年変化の画像処理に関して説明する概念図である。図７には、画像処理部１００Ｄが行う予め設定された３つの画像処理（画像処理Ａ、画像処理Ｂ、画像処理Ｃ）（符号１０５）と経過日時Ｔ（符号１０７）との関係の一例が示されている。経過日時ＴがＴａ〜Ｔａｂまでの期間では画像処理Ａが行われ、Ｔａｂ〜Ｔｂｃまでの期間では画像処理Ｂが行われ、Ｔｂｃ〜Ｔｃまでの期間では画像処理Ｃが行われる。例えば、経過日時Ｔ１の場合には画像処理Ａが選択され、経過日時Ｔ２の場合には画像処理Ｂが選択され、経過日時Ｔ３の場合には画像処理Ｃが選択される。なお、図７に示す場合では、画像処理Ａの期間Ｔａ〜Ｔａｂ、画像処理Ｂの期間Ｔａｂ〜Ｔｂｃ、画像処理Ｃの期間Ｔｂｃ〜Ｔｃは一定であるが、これに限定されるものではない。ユーザが任意に複数の画像処理と経過日時の長さとの時間軸における対応関係を決定してもよい。図７で示す場合では、ユーザは画像処理Ａの期間Ｔａ〜Ｔａｂ、画像処理Ｂの期間Ｔａｂ〜Ｔｂｃ、画像処理Ｃの期間Ｔｂｃ〜Ｔｃを任意に設定することができる。この場合ユーザは、操作部（関係入力部）９８を介して、対応関係の入力を行う。なお、画像処理Ａ、画像処理Ｂ及び画像処理Ｃは、相互に異なる画像処理であり、画像処理Ａ、画像処理Ｂ、画像処理Ｃと処理内容が変化することにより、撮影画像を経年変化させる。また、予め設定される複数の画像処理は、撮影モードまたは撮影条件に応じてその処理内容を変えてもよい。例えば、撮影モード毎に画像処理Ａ、画像処理Ｂ及び画像処理Ｃの処理内容を変えてもよいし、撮影条件毎に画像処理Ａ、画像処理Ｂ及び画像処理Ｃの処理内容を変えてもよい。
【００６５】
画像処理部１００Ｄにより、画像処理が行われた処理対象の撮影画像は、メモリ７２に記憶されてもよいし、また、画像処理された撮影画像はメモリ７２には記憶させなくてもよい。画像処理後の撮影画像がメモリ７２に記憶される場合には、ユーザは経年変化した撮影画像を一定の時間が経過した後でも楽しむことができる。また、画像処理後の撮影画像がメモリ７２に記憶されない場合には、ユーザは画像処理後に撮影画像を印刷等して経年変化を楽しむ。なお、処理対象として選択された画像処理前の撮影画像についても、メモリ７２に記憶されてもよいし、メモリ７２に記憶されなくてもよい。
【００６６】
図６に戻って、表示制御部１００Ｅは、画像処理部１００Ｄで画像処理が行われた処理対象の撮影画像をディスプレイ２８に表示させる。ユーザは、表示された画像処理後の撮影画像を確認することにより、撮影画像の経年変化を楽しむことができる。
【００６７】
印刷制御部１００Ｆは、画像処理が行われた撮影画像の印刷を制御する。例えば、印刷制御部１００Ｆは、自動的に、又はユーザの指示に応じて画像処理部１００Ｄで画像処理が行われた処理対象の撮影画像を印刷部に印刷させる。ユーザは、印刷された画像処理後の撮影画像を確認することにより、撮影画像の経年変化を楽しむことができる。
【００６８】
次に、画像処理装置１０１を使用した画像処理方法（画像処理工程）に関して説明する。図８は、画像処理方法を示すフローチャートである。
【００６９】
先ず、画像取得部１００Ａにより、選択された処理対象の撮影画像が取得される（ステップＳ１０）。その後、日時情報取得部１００Ｂにより、画像取得部１００Ａで取得された撮影画像の第１の日時情報及び第２の日時情報が取得される（ステップＳ１１）。次に、経過日時算出部１００Ｃにより、第１の日時情報及び第２の日時情報から経過日時が算出される（ステップＳ１２）。その後、画像処理部１００Ｄにより、算出された経過日時の長さに基づいて画像処理が行われる（ステップＳ１３）。
【００７０】
上述の各構成及び機能は、任意のハードウェア、ソフトウェア、或いは両者の組み合わせによって適宜実現可能である。例えば、上述の処理ステップ（処理手順）をコンピュータに実行させるプログラム、そのようなプログラムを記録したコンピュータ読み取り可能な記録媒体（非一時的記録媒体）、或いはそのようなプログラムをインストール可能なコンピュータに対しても本発明を適用することが可能である。
【００７１】
以上説明したように、本実施態様によれば、撮影時からの経過日時が算出され、経過日時の長さに応じて変化する複数の画像処理のうちから、算出された経過日時の長さに基づいて画像処理が行われるので、経年変化する画像処理を撮影画像に行うことができる。
【００７２】
＜経年変化の画像処理の例＞
次に、画像処理部１００Ｄで行われる経年変化の画像処理に関して説明する。画像処理部１００Ｄで行われる経年変化の画像処理は、様々な態様が採用される。以下に、経年変化の画像処理の具体例を説明する。
【００７３】
［第１の例］
第１の例では、画像処理部１００Ｄは、処理対象の撮影画像の全体の色を経過日時の長さに応じて変化させる。例えば、画像処理部１００Ｄは、経過日時の長さに応じて撮影画像の全体の色を薄くしたり、濃くしたり、変色させて変化させる。
【００７４】
図９は、撮影画像の全体の色が経年変化する画像処理を説明する図である。
【００７５】
符号２０１では経過日時がＴ１の場合の撮影画像Ｐ１を示し、符号２０３では経過日時がＴ２の場合の撮影画像Ｐ１を示し、符号２０５では経過日時がＴ３の場合の撮影画像Ｐ１が示されている。なお、経過日時の長さはＴ１＜Ｔ２＜Ｔ３である。
【００７６】
図９に示すように、画像処理部１００Ｄは、経過日時の長さに応じて撮影画像の全体の色を変えるように画像処理を行う。具体的には、符号２０１の撮影画像Ｐ１、符号２０３の撮影画像Ｐ１、符号２０５の撮影画像Ｐ１の順で、画像全体の色（例えばセピア色）を徐々に濃くしていく。このように、経過日時に応じて、撮影画像の全体の色を変える画像処理を行うことにより、撮影画像Ｐ１を経年変化させることができる。
【００７７】
［第２の例］
第２の例では、画像処理部１００Ｄは、処理対象の撮影画像の一部の被写体の色を経過日時の長さに応じて変化させる。例えば、画像処理部１００Ｄは、処理対象の撮影画像の背景の色を経過日時の長さに応じて薄くしたり、濃くしたり、変色させて変化させる。
【００７８】
図１０は、撮影画像の一部の被写体の色が経年変化する画像処理を説明する図である。
【００７９】
符号２０７では経過日時がＴ１の場合の撮影画像Ｐ２を示し、符号２０９では経過日時がＴ２の場合の撮影画像Ｐ２を示し、符号２１１では経過日時がＴ３の場合の撮影画像Ｐ２が示されている。
【００８０】
図１０に示すように、画像処理部１００Ｄは、経過日時の長さに応じて、撮影画像Ｐ２の背景２１３の色を徐々に薄くする画像処理を行う。具体的には、符号２０７の撮影画像Ｐ２、符号２０９の撮影画像Ｐ２、符号２１１の撮影画像Ｐ２の順で、背景２１３の色を徐々に薄くしていく。このように、経過日時に応じて、背景２１３の色を薄くすることによって、撮影画像Ｐ２を経年変化させることができる。
【００８１】
［第３の例］
第３の例では、画像処理部１００Ｄは、処理対象の撮影画像の一部の色又は一部の色相を、経過日時の長さに応じて変化させる。ここで、一部の色とは撮影画像中の同一の色を示し、一部の色相とは撮影画像中の同一の色相を示す。なお、例えば同一の色とはＲＧＢの信号値が等しい色であり、例えば同一の色相とは色相環を６等分した場合に同じグループに属する色相である。
【００８２】
図１１は、撮影画像の同一の色又は色相が経年変化する画像処理を説明する図である。
【００８３】
符号２１５では経過日時がＴ１の場合の撮影画像Ｐ３を示し、符号２１７では経過日時がＴ２の場合の撮影画像Ｐ３を示し、符号２１９では経過日時がＴ３の場合の撮影画像Ｐ３が示されている。なお、撮影画像Ｐ３の木の葉２２１は同じ色を有する。
【００８４】
図１１に示すように、画像処理部１００Ｄは、経過日時の長さに応じて、木の葉２２１の色を変える画像処理を行う。具体的には、符号２１５の撮影画像Ｐ３、符号２１７の撮影画像Ｐ３、符号２１９の撮影画像Ｐ３の順で、木の葉２２１の色を徐々に濃くしていく。このように、経過日時に応じて、木の葉２２１の色を変えることによって、撮影画像Ｐ３を経年変化させることができる。
【００８５】
［第４の例］
第４の例では、画像処理部１００Ｄは、処理対象の撮影画像の一部の領域のぼけ具合を経過日時の長さに応じて変化させる。例えば、画像処理部１００Ｄは、撮影画像の人物の前景または背景のぼけ具合を経過日時の長さに応じて変化させる。このように、撮影画像の前景または背景のぼけ具合を変化させることにより、撮影画像の被写界深度を疑似的に変化させることができる。なお、画像処理部１００Ｄは、ぼけ具合を変化させる一部の領域、または、ぼけ具合を変化させる一部の領域以外の領域を検出してぼけ処理を行う。例えば画像処理部１００Ｄは、人物（顔）の領域を検出し、検出した人物の領域以外の領域（例えば背景）に対してぼけ処理をおこなう。
【００８６】
図１２は、撮影画像の背景のぼけ具合が経年変化する画像処理を説明する図である。
【００８７】
符号２２３では経過日時がＴ１の場合の撮影画像Ｐ４を示し、符号２２５では経過日時がＴ２の場合の撮影画像Ｐ４を示し、符号２２７では経過日時がＴ３の場合の撮影画像Ｐ４が示されている。撮影画像Ｐ４は、主要被写体である人２２９、背景である山２３１を有する。
【００８８】
経過日時Ｔ１の場合（符号２２３）には、撮影画像Ｐ４には画像処理による変化は加えられていなく、山２３１の領域にぼけが発生していない。経過日時Ｔ２の場合（符号２２５）には、人２２９にピントがあっているが、背景である山２３１は画像処理によりぼけが発生している。なお、図ではぼけを二重線で示し、二重線の間隔の大きさはぼけ具合の大きさを示している。経過日時Ｔ３の場合（符号２２７）には、人２２９にピントがあっているが、背景である山２３１は画像処理によりぼけが発生している。また、経過日時Ｔ３の場合（符号２２７）には、経過時間Ｔ２と比べてぼけ具合が大きくなるように画像処理が行われている。ここでぼけ具合とは、ぼけの程度を意味し画像処理により小さいぼけ具合から大きいぼけ具合に調節することができる。このように、経過日時に応じて、撮影画像Ｐ４の背景である山２３１のぼけ具合を大きくすると、疑似的に撮影画像Ｐ４の被写界深度を浅くすることができ、撮影画像Ｐ４を経年変化させることができる。
【００８９】
［第５の例］
第５の例では、画像処理部１００Ｄは、処理対象の撮影画像に追加される装飾画像を経過日時に応じて変化させる。ここで、装飾画像とは、撮影画像に画像処理で追加される画像であり、例えばヒビ、シネマ風の縦筋、及びシミなどである。
【００９０】
図１３は、撮影画像に追加される装飾画像が経年変化する画像処理を説明する図である。
【００９１】
符号２３５では経過日時がＴ１の場合の撮影画像Ｐ５を示し、符号２３７では経過日時がＴ２の場合の撮影画像Ｐ５を示し、符号２３９では経過日時がＴ３の場合の撮影画像Ｐ５が示されている。
【００９２】
経過日時Ｔ１の場合（符号２３５）には、未だ撮影画像Ｐ５には装飾画像であるヒビ２４１の追加はされていない。経過日時Ｔ２の場合（符号２３７）には、撮影画像Ｐ５にヒビ２４１が画像処理により追加される。経過日時Ｔ３の場合（符号２３９）には、撮影画像Ｐ５にヒビ２４１が画像処理により追加される。
【００９３】
図１３に示した場合では、経過日時Ｔ２（符号２３７）から経過日時Ｔ３（符号２３９）で、ヒビ２４１は変化している。具体的には、経過日時Ｔ２（符号２３７）から経過日時Ｔ３（符号２３９）で、ヒビ２４１が長くなっていたり、ヒビ２４１の本数が増えていたりする。このように、経過日時に応じて、撮影画像Ｐ５に追加するヒビ２４１を変化させることにより撮影画像Ｐ５を経年変化させることができる。
【００９４】
以上、画像処理部１００Ｄで行われる経年変化の画像処理の具体例について説明してきたが、画像処理部１００Ｄで行われる経年変化の画像処理は、上述の具体例に限定されるものではない。
【００９５】
＜その他＞
本実施形態では、撮影画像の撮影時からの経過日時に応じて、画像処理を変化させる態様について説明してきたが、画像を見る人に対して、興味を抱かせるような処理は他にもある。以下に他の例を説明する。
【００９６】
［音を利用した処理］
撮影環境または撮影画像に関連する音を利用することによって、撮影画像に対して画像処理を行うことができる。プリンタ付きデジタルカメラ１０には、マイクロフォン９２が備えられており、撮影環境の音を集音することができる。したがって、撮影環境の音をマイクロフォン９２により集音し、カメラ制御部１００は、入力された撮影環境の音を撮影画像と共にメモリ７２に記憶させる。画像処理部１００Ｄは、メモリ７２に記憶された撮影環境の音を利用して、撮影画像に対して画像処理を行う。
【００９７】
図１４は、撮影環境の音を利用した画像処理の例を示す図であり、コンサート会場で撮影された画像を示す図である。
【００９８】
撮影画像Ｐ６は、コンサート会場で撮影された画像である。例えば、マイクロフォン９２によりコンサート会場の音を集音して、撮影画像に画像処理を加える。撮影画像Ｐ６では、コンサート会場であることをマイクロフォン９２で集音することにより認識して、撮影画像Ｐ６に音符２５０が加えられている。また、画像処理部１００Ｄは、クラシックコンサートの撮影環境の音を集音した場合にはソフトな画像処理を行ったり、ヘビーやハードなコンサートの撮影環境の音の場合には、エッジ強調やコントラストの強い画像処理を行ったりする。また、画像処理部１００Ｄは、撮影環境の音として人混みの音を集音した場合には、撮影画像に対してノイズを追加する画像処理を行う。
【００９９】
［撮影場所の情報を利用した処理］
撮影場所の情報を利用することによって、撮影画像に撮影場所に応じた画像処理を行ったり、撮影画像に関連する情報を付加する。プリンタ付きデジタルカメラ１０にＧＰＳ（Global Positioning System）機能を設けて、撮影場所を検知し、撮影場所に応じて撮影画像に対して様々な処理を行う。例えば、画像処理部１００Ｄは、コンサート会場での撮影の場合には、ライブ感のある画像処理を撮影画像に対して行う。
【０１００】
図１５は、撮影場所の情報を利用した処理の例を示す図であり、ライオンを撮影した撮影画像を示す図である。
【０１０１】
撮影画像Ｐ７は、動物園のライオンの檻の前でライオンを撮影したものである。プリンタ付きデジタルカメラ１０にＧＰＳ機能が備えられている場合には、そのＧＰＳ機能により、撮影画像Ｐ７の撮影が動物のライオンの檻の前で行われたことを検知する。そして、撮影画像Ｐ７と共にライオンの鳴き声がメモリ７２に記憶されたり、撮影画像Ｐ７と共にライオンの説明（音声または文字）が記憶されたりする。
【０１０２】
［感情を利用した処理］
ユーザが自分の感情を入力し、それに応じた画像処理を撮影画像に行うことができる。例えば、プリンタ付きデジタルカメラ１０のディスプレイ２８に感情設定画面を表示し、ユーザが自分自身の感情の入力を感情設定画面を介して行う。入力された感情に応じて、画像処理部１００Ｄは、撮影画像に対して画像処理を行う。
【０１０３】
図１６は、プリンタ付きデジタルカメラ１０のディスプレイ２８に表示される感情設定画面の一例を示す図である。図１６に示される感情設定画面は、円形であり、４つの感情（普通（Ｈ）、ラッキー（Ｉ）、悲しい（Ｊ）、ドッキリ（Ｋ）が示されている。ユーザは、感情設定画面におけるそれぞれのレバーＬを操作することにより、感情の入力を行う。画像処理部１００Ｄは、この入力された感情に応じて、撮影画像に対して画像処理を行う。
【０１０４】
図１７は、感情に応じた画像処理の例を示す図である。
【０１０５】
図１７に示すように、撮影画像Ｐ８は、ユーザが感情設定画面（図１６）で入力した感情に応じて、画像処理が行われる。なお、図１７には、感情設定画面における感情入力値表示２５２も撮影画像Ｐ８と共に表示されている。
【０１０６】
以上で本発明の例に関して説明してきたが、本発明は上述した実施の形態に限定されず、本発明の精神を逸脱しない範囲で種々の変形が可能であることは言うまでもない。
【符号の説明】
【０１０７】
１０      ：プリンタ付きデジタルカメラ
１２      ：カメラボディ
１４      ：撮影レンズ
１６      ：レリーズボタン
１８      ：録音ボタン
２０      ：ストロボ発光窓
２２ａ    ：電源ボタン
２２ｂ    ：メニューボタン
２２ｃ    ：ＯＫボタン
２２ｄ    ：モード切替えボタン
２４      ：マイク穴
２６      ：スピーカ穴
２８      ：ディスプレイ
３０      ：フィルム蓋カバー
３２ａ    ：ジョイスティック
３２ｂ    ：プリントボタン
３２ｃ    ：再生ボタン
３２ｄ    ：キャンセルボタン
３４      ：フィルム排出口
４２      ：インスタントフィルム
４２ａ    ：露光面
４２ｂ    ：観察面
４２ｃ    ：露光領域
４２ｄ    ：ポッド部
４２ｅ    ：現像処理液ポッド
４２ｆ    ：トラップ部
４２ｇ    ：吸収材
４２ｈ    ：観察領域
４２ｉ    ：枠
５２      ：フィルム送出機構
５４      ：フィルム搬送機構
５６      ：プリントヘッド
６２      ：レンズ駆動部
６４      ：イメージセンサ
６６      ：イメージセンサ駆動部
６８      ：アナログ信号処理部
７０      ：デジタル信号処理部
７２      ：メモリ
７４      ：メモリコントローラ
７６      ：表示コントローラ
７８      ：通信部
８０      ：アンテナ
８２      ：フィルム送出駆動部
８４      ：フィルム搬送駆動部
８６      ：ヘッド駆動部
８８      ：ストロボ
９０      ：ストロボ発光制御部
９２      ：マイクロフォン
９４      ：スピーカ
９６      ：音声信号処理部
９７      ：時計部
９８      ：操作部
１００    ：カメラ制御部
１００Ａ  ：画像取得部
１００Ｂ  ：日時情報取得部
１００Ｃ  ：経過日時算出部
１００Ｄ  ：画像処理部
１００Ｅ  ：表示制御部
１００Ｆ  ：印刷制御部
１０１    ：画像処理装置
【図１】
2020195557.tif 000003
【図２】
2020195557.tif 000004
【図３】
2020195557.tif 000005
【図４】
2020195557.tif 000006
【図５】
2020195557.tif 000007
【図６】
2020195557.tif 000008
【図７】
2020195557.tif 000009
【図８】
2020195557.tif 000010
【図９】
2020195557.tif 000011
【図１０】
2020195557.tif 000012
【図１１】
2020195557.tif 000013
【図１２】
2020195557.tif 000014
【図１３】
2020195557.tif 000015
【図１４】
2020195557.tif 000016
【図１５】
2020195557.tif 000017
【図１６】
2020195557.tif 000018
【図１７】
2020195557.tif 000019
【国際調査報告】
2020195557.tif 000020
2020195557.tif 000021
2020195557.tif 000022
2020195557.tif 000023